(57)【要約】【課題】養生テープによる固定作業を軽減することができ、しかも、砂や埃等の侵入による床面の損傷や汚染を確実に防止することのできる、養生ボード及び床面の養生方法を提供すること。【解決手段】養生ボード１は、矩形状又は平行四辺形状のボード２に、養生シート３が一体的に積層されており、前記養生シート３は、前記ボードの４側縁２ａ〜２ｄの内の相隣接する２側縁２ａ，２ｂから延出する延出部４を有している。床面の養生方法は、複数の前記養生ボードを用いて床面を養生する方法であって、一の養生ボードにおける養生シートの延出部上に、隣接させる他の養生ボードの前記養生シートが延出していない側の側縁部を載置する。【選択図】　　図１
2004060153.tif 000002
【特許請求の範囲】
【請求項１】
矩形状又は平行四辺形状のボードに、養生シートが一体的に積層されており、前記養生シートは、前記ボードの４側縁の内の相隣接する２側縁から延出する延出部を有している養生ボード。
【請求項２】
前記ボードと前記養生シートは、平面視形状が略同形である請求項１記載の養生ボード。
【請求項３】
前記ボードの表面に、反り防止用の溝が形成されている請求項１又は２記載の養生ボード。
【請求項４】
請求項１記載の養生ボードを複数枚用いて床面を養生する床面の養生方法であって、
一の養生ボードの一の側縁に沿う方向に、他の養生ボードを隣接させて配置する工程と、前記一の養生ボードの他の側縁に沿う方向に、更に他の養生ボードを隣接させて配置する工程とを具備し、前記両工程においては、前記一の養生ボードにおける前記養生シートの前記延出部上に、前記他の養生ボード又は前記更に他の養生ボードにおける前記養生シートが延出していない側の側縁部を載置する床面の養生方法。
【発明の詳細な説明】
【０００１】
【発明の属する技術分野】
本発明は、養生テープによる固定作業を軽減することができ、しかも、砂や埃等の侵入による床面の損傷や汚染を確実に防止することのできる、養生ボード及び床面の養生方法に関する。
【０００２】
【従来の技術及び発明が解決しようとする課題】
建築中の建築物の内部においては、既に仕上げられた床面を、その後の作業（壁や天井の工事等）中に損傷したり汚染したりすることがないように養生材を用いて保護することが広く行われている。また、引っ越し荷物の搬入、搬出の際にも養生材で床面を保護することが多い。
斯かる床面の一般的な養生方法としては、床面全面に養生シートを養生テープで貼り、そのシート上に、養生テープを用いて合板等のボードを固定する方法がある。このような方法に用いられる養生シートは、弾力性の付与や、ゴミが入り込んだ場合の拡散防止等を目的として、エンボス加工が施されているものが多く、養生テープが付きにくいため、養生シート上にボードを充分に固定できないという問題がある。例えば、ボードに反りが生じた場合には、養生テープが剥がれてしまう恐れがある。更に、養生シート及びボードをそれぞれ養生デープで固定しているため、養生テープの使用量が多くなり、また、固定作業に手間が掛かる。
【０００３】
従来の床面の養生材として、エンボスシートとハード厚紙と発泡シートを積層した３層構造の養生ボードが知られている。この養生材においては、エンボスシートとハード厚紙等が予め一体化されているため、固定作業を軽減することができる。しかし、この養生材を床面に直接敷設した場合には、養生材同士間の隙間から、砂や埃、滴下した塗料等が侵入して床面を損傷又は汚染する恐れがある。他方、このような不都合を防止するために、床面全面に養生シートを敷いた後に、養生材を配置した場合には、固定作業が軽減されなくなる。更に、この養生材においては、多量の養生テープを用いて床面に確実に固定しておかないと、ずれが生じたり、床面との間に隙間が生じる恐れがある。
【０００４】
従って、本発明の目的は、養生テープによる固定作業を軽減することができ、しかも、砂や埃等の侵入による床面の損傷や汚染を確実に防止することのできる、養生ボード及び床面の養生方法を提供することにある。
【０００５】
【課題を解決するための手段】
本発明は、矩形状又は平行四辺形状のボードに、養生シートが一体的に積層されており、前記養生シートは、前記ボードの４側縁の内の相隣接する２側縁から延出する延出部を有している養生ボードを提供することにより、上記の目的を達成したものである。
【０００６】
本発明は、前記養生ボードを複数枚用いて床面を養生する床面の養生方法であって、一の養生ボードの一の側縁に沿う方向に、他の養生ボードを隣接させて配置する工程と、前記一の養生ボードの他の側縁に沿う方向に、更に他の養生ボードを隣接させて配置する工程とを具備し、前記両工程においては、前記一の養生ボードにおける前記養生シートの前記延出部上に、前記他の養生ボード又は前記更に他の養生ボードにおける前記養生シートが延出していない側の側縁部を載置する床面の養生方法を提供することにより、上記の目的を達成したものである。
【０００７】
【発明の実施の形態】
以下、本発明を好ましい実施形態に基づいて詳細に説明する。
先ず、本発明の養生ボードの一実施形態について説明する。
本実施形態の養生ボード１は、図１〜図３に示すように、平面視して矩形状（長方形状）のボード２と、同じく平面視して矩形状の養生シート３とが一体的に積層されてなる。
【０００８】
前記ボード２は、板紙からなる板状体である。板紙としては、耐水紙管原紙等、各種公知のものを用いることができる。ボードの他の形成材料としては、ポリプロピレンやポリエチレン等の合成樹脂からなる中空軽量構造板、ポリスチレン等の合成樹脂からなる発泡成形体等を挙げることができる。
前記ボード２の表面には、反り防止用の溝５が形成されている。反り防止用の溝５は、表面をカッターにて切断して形成されており、縦横２方向（互いに交差する２方向）に形成されていることによって効果的に反りを防止することができる。反り防止用の溝５を設けることで、養生ボードと床面との間に隙間が生じることを確実に防止することができる。反り防止用の溝５の他の形成方法としては、エンボスによる圧縮線の形成等を挙げることができる。
【０００９】
養生シート３は、少なくとも前記ボード２よりも柔軟であり、該養生シートとしては、各種公知のものを特に制限なく用いることができる。養生シート３の形成材料としては、エンボス加工を施した紙や、エンボス加工を施した合成樹脂製シート、ポリエチレン等の合成樹脂の発泡シート、ポリエチレン等の合成樹脂製シートと紙とのラミネート紙等を挙げることができるが、これらの中でも、エンボス加工を施した紙が好ましい。
【００１０】
ボード２と養生シート３とは接合されて一体化されている。ボード２と養生シート３との接触面は、実質的にその全面が互いに接着されている。実質的に全面が接着されているとは、接触面の全域に亘るようにした分散した点や線等で両者が部分的に接合されている場合を含むという意味である。両者の接合方法としては、接着剤による接着の他、熱融着等の各種公知の接合方法を採用することができる。
【００１１】
養生シート３は、図１に示すように、ボード２の４側縁２ａ〜２ｄの内の相隣接する２側縁２ａ，２ｂから延出する延出部４を有している。
詳細には、ボード２と養生シート３は、平面視形状が略同形であり、図１に示すように、両者をずらして接合することにより、前記延出部４が生じている。従って、養生シート３は、ボード２の４側縁２ａ〜２ｄの内の前記２側縁２ａ，２ｂ以外の側縁２ｃ，２ｄからは延出していない。
【００１２】
前記ボード２の相隣接する２側縁２ａ，２ｂから延出する延出部４の幅Ｗ１，Ｗ２は、それぞれ２０ｍｍ以上、特に２５〜３５ｍｍであることが、ボード２，２同士の隙間から、砂や埃、滴下した塗料等が侵入することによる床面の損傷や汚染を防止する観点から好ましい。
【００１３】
次に、本発明の床面の養生方法の一実施形態について、上記の養生ボード１を用いて実施する場合を例に、図２及び図３を参照して説明する。
図２は、建築中の建築物の室内の床面を養生する方法を示す図である。図示の如く、床面は、既にフローリング材等の木質系仕上げ材により仕上げられている。
【００１４】
本実施形態の方法においては、この床面を養生するために、図２の左側の壁に沿うように、図の手前側から向こう側の壁に向かって３枚の養生ボード１を一列に配置し、その一列の配置後に隣の一列を同様に手前から向こう側の壁に向かって配置し、以下同様に、一列毎に養生ボード１を配置して、床面全面に養生ボードを配置する。
説明の便宜上、図２の手前中央の養生ボード１（１Ａ）に着目して考えると、本実施形態の方法においては、養生ボード１Ａの一の側縁１ａに沿う方向Ｐに、他の養生ボード１Ｂを隣接させて配置すると共に、養生ボード１Ａの他の側縁１ｂに沿う方向Ｑに、更に他の養生ボード１Ｃを隣接させて配置する。養生ボード１Ｂ及び１Ｃは、養生ボード１Ａと同一構成である。
養生ボード１Ａを配置する際には、該養生ボード１Ａにおける、前記ボード２の２側縁２ａ，２ｂそれぞれから延出する養生シートの延出部４を養生テープ６で部分的に固定する。
【００１５】
そして、養生ボード１Ａに養生ボード１Ｂを隣接配置する際には、養生ボード１Ａにおける、前記養生シートの前記延出部（ボードの側縁２ｂから延出する延出部）４上に、養生ボード１Ｂにおける、前記養生シートが延出していない側の側縁部１２を載置する。また、養生ボード１Ａに養生ボード１Ｃを隣接配置する際には、養生ボード１Ａにおける、前記養生テープ６で固定した前記養生シートの前記延出部（ボードの側縁２ａから延出する延出部）４上に、養生ボード１Ｃにおける、前記養生シートが延出していない側の側縁部１１を載置する。
【００１６】
尚、養生ボード１Ａの配置方法並びに該養生ボード１Ａに対する養生ボードＢ及び養生ボードＣの隣接配置方法は、基本的に他の養生ボードについても同様に実施する。但し、壁にぶつかる部分においては、延出部４の切断や、養生ボードの切断等の適宜の処理を行う。また、本実施形態では、ボード２，２同士間の隙間を養生テープ７で塞いているが、これは省略することもできる。尚、養生テープ６，７としては、各種公知のものを特に制限なく用いることができる。
【００１７】
本実施形態の養生ボード１によれば、ボード２と養生シート３とが一体化されており、養生シート３がボード２から延出しているため、その延出部４を少量の養生テープで部分的に固定するだけで、該養生ボード１を床面に安定的に固定することができる。しかも、養生ボードを隣接配置した状態においては、養生シートの前記延出部４が、ボード２同士間の隙間の下方に存在するため、ボード２同士間の隙間に侵入した砂や埃、塗料等による床面の損傷や汚染を防止することができる。
【００１８】
また、本実施形態の床面の養生方法によれば、一の養生ボードの延出部４上に、隣接する養生ボードの側縁部が載置されることによって、前記一の養生ボードの床面に対する設置安定性が向上するので、養生ボードを固定するための養生テープの量や固定作業を一層軽減することができる。
【００１９】
以上、本発明の養生ボード及び床面の養生方法それぞれの実施形態を示して説明したが、各発明は、上記の実施形態に制限されず、種々変更可能である。
【００２０】
例えば、図４に示す養生ボード１’は、本発明の養生ボードの他の実施形態であるが、該養生ボード１’においては、ボード２に該ボード２よりも外形寸法の大きい養生シート３を積層一体化させることによって、ボード２の２側縁２ａ，２ｂから延出する延出部４が形成されている。
また、上記各実施形態におけるボード２は、矩形状であったが、これに代えて平行四辺形状のボードを用いることもできる。
【００２１】
【発明の効果】
本発明によれば、養生テープによる固定作業を軽減することができ、しかも、砂や埃等の侵入による床面の損傷や汚染を確実に防止することのできる、養生ボード及び床面の養生方法を提供することができる。
【図面の簡単な説明】
【図１】図１は、本発明の一実施形態としての養生ボードを示す平面図である。
【図２】図２は、図１の養生ボードを用いた床面の養生方法を示す図である。
【図３】図３は、図２のＸ−Ｘ線断面図である。
【図４】図４は、本発明の他の実施形態としての養生ボードを示す平面図である。
【符号の説明】
１，１Ａ〜１Ｃ　養生ボード
２　ボード
２ａ，２ｂ　相隣接する２側縁
３　養生シート
４　延出部
５　反り防止用の溝
６　養生テープ
【図１】
2004060153.tif 000003
【図２】
2004060153.tif 000004
【図３】
2004060153.tif 000005
【図４】
2004060153.tif 000006